(57)【要約】      （修正有）【課題】ファンの高さを容易に調節することができる昇降型ファンを提供する。【解決手段】昇降型ファンは、ファンの本体部を支持するための台座と、台座の上方に位置し、且つ台座のスリーブの中に挿入されるように、スリーブに対して移動可能に連接され、且つ頂端にファンカバー及びファンブレードが装着された伸縮管２と、台座に装着された回転モーター３と、一端が回転モーター３の出力端と連接され、他端が伸縮管２と連接されるロープ４と、一端が伸縮管２に作用し、他端が台座に作用し、その自身の復帰力により伸縮管２を上昇させる弾性バネ５と、を備え、回転モーター３は、時計回り又は反時計回りに回転することによって、ロープ４の弛みをコントロールして、伸縮管２の昇降を実現する。【選択図】図５
0003214367.tif 000002
【実用新案登録請求の範囲】
【請求項１】
ファンの本体部を支持するための台座と、
前記台座の上方に位置し、且つ前記台座のスリーブの中に挿入されるように、前記スリーブに対して移動可能に連接され、且つ頂端にファンカバー及びファンブレードが装着された伸縮管と、
前記台座に装着された回転モーターと、
一端が前記回転モータの出力端と連接され、他端が前記伸縮管と連接されるロープと、
一端が前記伸縮管に作用し、他端が前記台座に作用し、その自身の復帰力により前記伸縮管を上昇させる弾性復帰部材と、を備える昇降型ファンであって、
前記回転モーターは、時計回り又は反時計回りに回転することによって、前記ロープの弛みをコントロールして、前記伸縮管の昇降を実現することを特徴とする昇降型ファン。
【請求項２】
前記弾性復帰部材は、弾性バネであり、前記弾性復帰部材の一端は、前記伸縮管内に設けられ、前記弾性復帰部材の他端は、前記伸縮管の側壁に開設された開口を通り抜けて、前記台座の前記スリーブに固定されることを特徴とする請求項１に記載の昇降型ファン。
【請求項３】
前記スリーブの側壁には、フックが設けらており、前記フックの外側には、上へ延伸する脱落防止バッフルが設けられ、前記弾性復帰部材の他端には、前記フックに対応する吊し口が設けられることを特徴とする請求項２に記載の昇降型ファン。
【請求項４】
前記回転モーターは、前記台座の底板に固定され、前記回転モーターの出力端には、線を巻き取るためのリールが装着され、前記ロープの一端は前記リールに設けられ、前記ロープの他端は前記スリーブの内部を通り抜け且つ前記伸縮管の底部に固定されることを特徴とする請求項３に記載の昇降型ファン。
【請求項５】
前記伸縮管の外側壁と前記スリーブの内側壁には、互いに協力する縦置きのシュート及びスライドブロックがそれぞれ設けられることを特徴とする請求項４に記載の昇降型ファン。
【請求項６】
前記回転モーターのマザーボードには、制御信号を受信するためのリモートコントロール回路がさらに設けられることを特徴とする請求項１に記載の昇降型ファン。
【請求項７】
前記弾性復帰部材は、圧縮スプリングであり、前記台座には、前記伸縮管の底部と上下に対応するキャリアプレートが設けられ、前記圧縮スプリングは、前記伸縮管の底部と前記キャリアプレートとの間に装着されることを特徴とする請求項１に記載の昇降型ファン。
【考案の詳細な説明】
【技術分野】
【０００１】
本考案は、ファンに関し、特に昇降することができるファンに関するものである。
【背景技術】
【０００２】
フロアリフトファンは、ユーザの必要に応じて位置が変更される、又は高さを調節することができるので、実用性が非常に強く、市場シェアが非常に高い。従来の昇降型ファンは、常に以下の構造を利用して昇降機能を実現し、その高さを調節する。具体的には、単軸スクリューを用いて中軸の位置を固定することによって、ファンの高さを調節する。または、中軸を取り囲むように設けられたナット型ノブを締めるか又は緩めることによって、ファンの高さを調節する。
【０００３】
しかし、これらの構造を利用してファンの高さを調節する時に、ユーザはファンに近づいて、一方の手でファンの伸縮管を掴んで、他方の手で伸縮管を伸縮させて調節する必要がある。ファンカバー及びファンブレードが装着された伸縮管は常に重いので、ユーザはファンを調節する時に大きいな力を入れる必要がある。つまり、従来のファンの昇降構造は、煩わしくて、不便であり、改善の必要性がある。
【考案の概要】
【考案が解決しようとする課題】
【０００４】
本考案は、ファンの高さを容易に調節することができる昇降型ファンを提供することを目的とする。
【課題を解決するための手段】
【０００５】
上記の課題を解決するために、本考案に係る昇降型ファンは、ファンの本体部を支持するための台座と、前記台座の上方に位置し、且つ前記台座のスリーブの中に挿入されるように、前記スリーブに対して移動可能に連接され、且つ頂端にファンカバー及びファンブレードが装着された伸縮管と、前記台座に装着された回転モーターと、一端が前記回転モータの出力端と連接され、他端が前記伸縮管と連接されるロープと、一端が前記伸縮管に作用し、他端が前記台座に作用し、且つその自身の復帰力により前記伸縮管を上昇させる弾性復帰部材と、を備え、前記回転モーターは、時計回り又は反時計回りに回転することによって、前記ロープの弛みをコントロールして、前記伸縮管の昇降を実現する。
【０００６】
好ましくは、前記弾性復帰部材は、弾性バネであり、前記弾性復帰部材の一端は、前記伸縮管内に設けられ、前記弾性復帰部材の他端は、前記伸縮管の側壁に開設された開口を通り抜けて、前記台座の前記スリーブに固定される。
【０００７】
好ましくは、前記スリーブの側壁には、フックが設けられ、前記フックの外側には、上へ延伸する脱落防止バッフルが設けられ、前記弾性復帰部材の他端には、前記フックに対応する吊し口が設けられる。
【０００８】
好ましくは、前記回転モーターは、前記台座の底板に固定され、前記回転モーターの出力端には、線を巻き取るためのリールが装着され、前記ロープの一端は前記リールに設けられ、前記ロープの他端は前記スリーブの内部を通り抜け且つ前記伸縮管の底部に固定される。
【０００９】
好ましくは、前記伸縮管の外側壁と前記スリーブの内側壁には、互いに協力する縦置きのシュート及びスライドブロックがそれぞれ設けられる。
【００１０】
好ましくは、前記回転モーターのマザーボードには、制御信号を受信するためのリモートコントロール回路がさらに設けられる。
【００１１】
好ましくは、前記弾性復帰部材は、圧縮スプリングであり、前記台座には、前記伸縮管の底部と上下に対応するキャリアプレートが設けられ、前記圧縮スプリングは、前記伸縮管の底部と前記キャリアプレートとの間に装着される。
【考案の効果】
【００１２】
本考案の昇降型ファンは、ファンの高さを容易に調節でき、昇降操作が安定的で、便利であるという利点を有する。
【図面の簡単な説明】
【００１３】
【図１】本考案に係る昇降型ファンの台座と伸縮管との連接状態を示す図である。
【図２】図１におけるＡ部の局部概略図である。
【図３】本考案に係る昇降型ファンの回転モーター、ロープと伸縮管との連接状態を示す図である。
【図４】図３におけるＢ部の局部概略図である。
【図５】図１の断面図である。
【図６】図５におけるＣ部の局部概略図である。
【図７】弾性バネと台座のスリーブとの連接状態を示す図である。
【考案を実施するための形態】
【００１４】
本考案の技術特徴、目的及び技術効果を明確に理解させるために、以下図面を参照しながら本考案の具体的な実施形態を詳細に説明する。
【００１５】
図１〜図７に示すように、本考案に係る昇降型ファンは、ファンの本体部を支持するための台座１及び台座１の上方に位置する伸縮管２を含む。伸縮管２は、台座１のスリーブ１１の中に挿入されるように、スリーブ１１に対して移動可能に連接される。伸縮管２の頂端には、ファンカバーとファンブレードとが装着される。また、本考案の昇降型ファンは、台座１に装着された回転モーター３及びロープ４をさらに含む。ロープ４の一端は回転モーター３の出力端３０と連接され、ロープ４の他端５０は伸縮管２と連接される。回転モーター３は、時計回りに回転する（正転）こと又は反時計回りに回転する（逆転）ことによって、ロープ４の弛みをコントロールして、伸縮管２の昇降を実現する。伸縮管２と台座１との間には、弾性復帰部材がさらに設けられる。前記弾性復帰部材の一端は、伸縮管２に作用し、前記弾性復帰部材の他端５０は、台座１に作用する。伸縮管２は、前記弾性復帰部材の復帰力によって上昇する。
【００１６】
回転モーター３が時計回りに回転する時には、ロープ４は出力端３０に巻き付かれて収縮され、且つ、ついでに伸縮管２を引き下げることで、昇降型ファンを下降させる。前記昇降型ファンが下降する時には、前記弾性復帰部材は変形されて弾性エネルギーを蓄積する状態になる。回転モーター３が反時計回りに回転する時には、ロープ４は解除され、前記弾性復帰部材は、ロープ４からの制限力を失い、復帰してリセットする。この復帰力は、その弾みに伸縮管２を押し上げて、昇降型ファンの上昇を実現する。
【００１７】
前記弾性復帰部材は、弾性バネ５を採用することが好ましい。前記弾性復帰部材の本体部５２（弾性バネ５の前記一端が本体部５２の中に含まれる）は、伸縮管２内に装着される。他端５０は、伸縮管２の側壁に開設された開口２０を通り抜けて、台座１のスリーブ１１に固定される。伸縮管２がロープ４により下へ引き下げられる時には、弾性バネ５は展開して変形し、弾性エネルギーを蓄積する状態になる。ロープ４からの作用力が取り消されると、弾性バネ５は、跳ね返ると共に、伸縮管２を押し上げて、上昇させる。
【００１８】
一般的には、台座１のスリーブ１１の側壁には、フック１３が設けられる。フック１３の外側には、サスペンション構造が離脱することを防止するための脱落防止バッフル１３０が上へ延伸するように設けられている。また、前記弾性復帰部材の他端５０には、フック１３に対応する吊し口５１が設けられる。伸縮管２が昇降する時の安定性を確保するために、伸縮管２の外側壁と台座１のスリーブ１１の内側壁に互いに協力する縦置きのシュート２１、スライドブロック１２をそれぞれ設ける。スライドブロック１２は、シュート２１に沿って運動して、方向ガイドの役割を果たす。好ましくは、シュート２１及びスライドブロック１２の数は、それぞれ２つある。
【００１９】
また、前記弾性復帰部材は、圧縮スプリングを採用することが好ましい。台座１には、伸縮管２の底部と上下に対応するキャリアプレートが設けられる。前記圧縮スプリングは、伸縮管２の底部と前記キャリアプレートとの間に装着される。伸縮管２が下降する時には、前記圧縮スプリングは伸縮管２により押え付けられる。ロープ４の伸縮管２に対する引っ張り力が徐々に取り消されると、前記圧縮スプリングは復帰して、その弾みに伸縮管２を上方へ押圧する。
【００２０】
回転モーター３は、一般的に台座１の底板１０に固定される。回転モーター３の出力端３０には、線を巻き取るためのリールが装着される。ロープ４の一端は前記リールに設けられ、ロープ４の他端５０はスリーブ１１の内部を通り抜け且つ伸縮管２の底部に固定される。回転モーター３のマザーボードには、リモートコントロール回路がさらに設けられる。前記リモートコントロール回路にて外部制御信号を受信することによって、回転モーター３の正転及び逆転を実現することができる。これにより、ユーザは、本考案の昇降型ファンを遠隔操作することができる。リモートコントロール回路の動作原理は、周知技術であるので、ここでの詳しい説明を省略する。
【００２１】
本考案に係る改善後の昇降型ファンは、回転モーター３を介してファンの昇降をコントロールし、これにより、ユーザが片手でファンのスリーブ１１を握って、片手で伸縮管２を上下に移動させることでファンの高さを調節する難しい状況を避けることができる。しかも、従来のリモートコントロール回路を利用して回転モーター３をリモートコントロールすることができるので、ファンに対する昇降調節はさらに便利で、簡単になる。
【００２２】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００２３】
１      台座
２      伸縮管
３      回転モーター
４      ロープ
５      弾性バネ
１０    底板
１１    スリーブ
１２    スライドブロック
１３    フック
２０    開口
２１    シュート
３０    出力端
５０    他端
５１    吊し口
５２    本体部
１３０  脱落防止バッフル
【図１】
0003214367.tif 000003
【図２】
0003214367.tif 000004
【図３】
0003214367.tif 000005
【図４】
0003214367.tif 000006
【図５】
0003214367.tif 000007
【図６】
0003214367.tif 000008
【図７】
0003214367.tif 000009